(57)【特許請求の範囲】
【請求項１】
家庭内システムに設けられた複数種類の機器を制御可能な電子機器であって、
画像を撮影する撮影手段と、
情報を表示する表示手段と、
前記撮影手段が撮影した画像から、前記複数種類の機器に含まれている、電力を消費する機器を検知する検知手段と、
前記家庭内システムに設けられた複数種類の機器から、前記検知手段が検知した機器と、同一種類の他の機器を特定する特定手段と、
前記検知手段が検知した機器と前記特定手段が特定した機器のそれぞれについて、前記電子機器と通信可能な機器から得られた情報である、当該機器の消費電力を示す第１情報と、当該機器の消費電力に影響を与える操作の要否を判断するための、前記機器の種類により項目が異なる第２情報と、を前記表示手段に表示させる表示制御手段と、
を備える電子機器。
【請求項２】
前記機器の消費電力を低減させる操作方法を報知する報知手段をさらに備える、請求項１に記載の電子機器。
【請求項３】
前記報知手段は、前記機器の消費電力を低減させるメンテナンス方法をさらに報知する、請求項２に記載の電子機器。
【請求項４】
操作者の属性を判定する判定手段をさらに備え、
前記表示制御手段は、前記操作者の属性に応じて前記第１情報および前記第２情報の表示形態を変化させ、
前記報知手段は、前記操作者の属性に応じて報知の方法を変化させる、請求項２または３に記載の電子機器。
【請求項５】
前記表示制御手段は、前記表示手段に前記第１情報と前記第２情報とを表示させた後、前記機器に対する操作を受け付ける操作画面を前記表示手段にさらに表示させる、請求項１〜４のいずれか一項に記載の電子機器。
【請求項６】
前記表示制御手段は、前記操作画面が受け付けた操作に応じて前記機器の消費電力が低減した場合に、該消費電力の低減を示す表示形態で前記第１情報を前記表示手段に表示させる、請求項５に記載の電子機器。
【請求項７】
前記表示制御手段は、前記第１情報および前記第２情報を、前記撮影手段が撮影した画像に重畳して前記表示手段に表示させる、請求項１に記載の電子機器。
【請求項８】
前記検知手段は、前記撮影手段が撮影した画像から、電力を消費せずに手動で状態が変化し、該状態変化が機器の消費電力に影響を与える物体をさらに検知し、
前記表示制御手段は、前記検知手段が前記物体を検知した場合、該物体の状態変化の要否を判断するための第３情報を前記表示手段に表示させる、請求項１に記載の電子機器。
【請求項９】
画像を撮影する撮影手段と、情報を表示する表示手段と、を備え、家庭内システムに設けられた複数種類の機器を制御可能なコンピュータに、
前記撮影手段が撮影した画像から、前記複数種類の機器に含まれている、電力を消費する機器を検知する検知ステップと、
前記家庭内システムに設けられた複数種類の機器から、前記検知ステップにより検知された機器と、制御手法が同じである同一種類の他の機器を特定する特定ステップと、
前記検知ステップにより検知された機器と、前記特定ステップにより特定された機器のそれぞれについて、前記電子機器と通信可能な機器から得られた情報である、当該機器の消費電力を示す第１情報と、当該機器の消費電力に影響を与える操作の要否を判断するための、前記機器の種類により項目が異なる第２情報と、を前記表示手段に表示させる表示ステップと、
を実現させるためのプログラム。
【発明の詳細な説明】
【技術分野】
【０００１】
本発明の実施形態は、電子機器およびプログラムに関する。
【背景技術】
【０００２】
近年、環境問題に対する意識の高まりから、家電機器などの電力を消費する機器の消費電力を低減させる取り組みが注目されている。家庭内には様々な家電機器が設置されており、家電機器ごとに電力を無駄に消費しているか否かの判断材料が異なるため、家電機器の消費電力を適切に低減させるためには、その家電機器を正しく認識することが必要となる。
【０００３】
家庭内に設置された様々な家電機器を認識する技術としては、例えば、各家電機器同士で、有線または無線により制御コマンドを出し合うことで、家電機器が制御コマンドへ反応することにより、家電機器のタイプを判定する技術が知られている。例えば、ＩＥＣ等で標準化されている家庭なネットワーク規格である「エコーネット」や「ＤＬＮＡ」などを用いて判定することがある。
【先行技術文献】
【特許文献】
【０００４】
【特許文献１】特開２００９−２８８８５９号公報
【発明の概要】
【発明が解決しようとする課題】
【０００５】
家電機器の消費電力を低減させるための行為をユーザに促すには、家電機器の消費電力に関わる情報をユーザに確認させて、ユーザの節電意識を高めることが有効である。このとき、家電機器の消費電力に関わる情報を確認するために煩雑な操作が要求されたり、情報の確認が難しかったりすると、ユーザから敬遠されるため、直感的で分かり易い方法で家電機器の消費電力に関わる情報をユーザが確認できるようにすることが求められる。しかしながら、従来技術では、家電機器の消費電力に関わる情報を、直感的で分かり易いかたちでユーザが確認することができない。
【０００６】
そこで、本発明の実施形態は、一例として、機器の消費電力に関わる情報を直感的で分かり易く確認させることができる電子機器を得ることを目的の一つとする。
【課題を解決するための手段】
【０００７】
実施形態の電子機器は、家庭内システムに設けられた複数種類の機器を制御可能な電子機器であって、撮影手段と、表示手段と、検知手段と、特定手段と、表示制御手段と、を備える。撮影手段は、画像を撮影する。表示手段は、情報を表示する。検知手段は、前記撮影手段が撮影した画像から、前記複数種類の機器に含まれている、電力を消費する機器を検知する。特定手段は、前記家庭内システムに設けられた複数種類の機器から、前記検知手段が検知した機器と、制御手法が同じである同一種類の他の機器を特定する。表示制御手段は、前記検知手段が検知した機器と前記特定手段が特定した機器のそれぞれについて、前記電子機器と通信可能な機器から得られた情報である、当該機器の消費電力を示す第１情報と、当該機器の消費電力に影響を与える操作の要否を判断するための、前記機器の種類により項目が異なる第２情報と、を前記表示手段に表示させる。 
【図面の簡単な説明】
【０００８】
【図１】図１は、第１の実施形態にかかる家庭内システムの概要を示す模式図である。
【図２】図２は、第１の実施形態にかかる電子機器の外観の一例を示す図である。
【図３】図３は、第１の実施形態にかかる電子機器のハードウェア構成の一例を示すブロック図である。
【図４】図４は、第１の実施形態にかかる電子機器の機能構成を示すブロック図である。
【図５】図５は、第１の実施形態にかかる電子機器の表示部の画面遷移例を示す図である。
【図６】図６は、第１の実施形態にかかる電子機器の表示部の画面遷移例を示す図である。
【図７】図７は、第１の実施形態にかかる電子機器の動作の具体例を示すフローチャートである。
【図８】図８は、第２の実施形態にかかる家庭内システムの概要を示す模式図である。
【図９】図９は、第２の実施形態にかかる電子機器の機能構成を示すブロック図である。
【図１０】図１０は、第２の実施形態にかかる電子機器の表示部の画面遷移例を示す図である。
【図１１】図１１は、第２の実施形態にかかる電子機器の表示部の画面遷移例を示す図である。
【図１２】図１２は、第３の実施形態にかかる電子機器の機能構成を示すブロック図である。
【発明を実施するための形態】
【０００９】
以下、実施形態にかかる電子機器およびプログラムを、図面を参照して説明する。以下で示す実施形態は、家庭内に設置された各種の家電機器の消費電力に関わる情報を、ユーザ（操作者）が容易に持ち運び可能なタブレット端末などの電子機器に表示することでユーザの節電意識を高め、節電のためのユーザの行動を喚起する家庭内システムへの適用例である。この家庭内システムは、タブレット端末などの電子機器の特性である良好な操作性を活かして、直感的で分かり易いかたちで、家電機器の消費電力に関わる情報をユーザが確認できるようにしている。
【００１０】
＜第１の実施形態＞
図１は、第１の実施形態にかかる家庭内システムの概要を示す模式図である。家庭内には、家電機器の一例として、エアコン１、テレビ２、照明装置３、冷蔵庫４および洗濯乾燥機５が設置されている。本実施形態の家庭内システムは、例えば、タブレット端末として構成された電子機器１０を用いて、これら各家電機器の消費電力に関わる情報を表示する。本実施形態にかかる電子機器１０は、画像を撮影（入力）する機能を持ち、情報を表示する対象となる家電機器を特定するため、撮影（入力）した画像を用いる。
【００１１】
また、本実施形態にかかる電子機器１０は、エアコン１、テレビ２、照明装置３、冷蔵庫４および洗濯乾燥機５の各家電機器から無線通信によって情報を取得する機能を有する。例えば、各家電機器には、電子機器１０との間で無線通信を行うためのアダプタ（図示せず）が接続される。電子機器１０は、このアダプタを介して各家電機器との間で無線通信を行い、各家電機器から情報を取得する。なお、無線通信の規格としては、例えば、Ｂｌｕｅｔｏｏｔｈ（登録商標）やＺｉｇＢｅｅ（登録商標）など、既知の様々な規格を利用できる。
【００１２】
また、本実施形態にかかる電子機器１０は、例えば、３Ｇ（第３世代）通信などの移動体通信技術や、ＷｉＦｉ経由ルータを利用してインターネットなどのネットワーク６に接続し、ネットワーク６上の情報提供サーバ７から各種の情報を取得する機能を有する。電子機器１０は、上述した家庭内の各家電機器やネットワーク６上の情報提供サーバ７からの情報の取得を、機器に内蔵された後述の無線通信モジュールを用いて行う。
【００１３】
図２は、本実施形態にかかる電子機器１０の外観の一例を示す図である。電子機器１０は、ユーザが把持する薄い箱状の筐体１１を備える。筐体１１の前面（一方の主面）側には、情報を表示する表示部１２が設けられている。表示部１２は、ユーザによってタッチされた表示画面上の位置を検知するタッチパネルを備える。また、筐体１１の前面側には、表示部１２の下側に位置して、ユーザが各種操作を行うための操作スイッチ１３が設けられている。また、筐体１１の前面側には、表示部１２の上側に位置して、音声出力を行うためのスピーカ１４が設けられている。さらに、筐体１１の上部には、画像を撮影するためのカメラモジュール１５が設けられている。カメラモジュール１５は、筐体１１の前面側の画像を撮影する前面カメラと、筐体１１の背面（他方の主面）側の画像を撮影する背面カメラとを備える。
【００１４】
図３は、本実施形態にかかる電子機器１０のハードウェア構成の一例を示すブロック図である。図３に示すように、電子機器１０は、上述の構成に加え、ＣＰＵ１６、システムコントローラ１７、グラフィックスコントローラ１８、タッチパネルコントローラ１９、不揮発性メモリ２０、ＲＡＭ２１、音声処理部２２、および無線通信モジュール２３を備える。
【００１５】
表示部１２は、ディスプレイ１２ａとタッチパネル１２ｂとを組み合わせた、いわゆるタッチスクリーンとして構成される。ディスプレイ１２ａは、例えば、ＬＣＤ（Liquid  Crystal  Display）や有機ＥＬ（Electro  Luminescence）ディスプレイなどである。タッチパネル１２ｂは、ユーザの指やスタイラスペンなどによってタッチされたディスプレイ１２ａの表示画面上の位置（タッチ位置）を検知する。
【００１６】
ＣＰＵ１６は、電子機器１０の動作を統括的に制御するプロセッサである。ＣＰＵ１６は、システムコントローラ１７を介して電子機器１０の各部を制御する。ＣＰＵ１６は、例えば、不揮発性メモリ２０からＲＡＭ２１にロードされるオペレーションシステムや各種のアプリケーションプログラムを実行することにより、電子機器１０の各部を制御するための機能を実現する。本実施形態では、特にＣＰＵ１６が家電機器の消費電力に関わる情報を表示してユーザの節電意識を高めるための節電のためのアプリケーションプログラム（以下、「節電アプリ」という。）を実行することにより、後述する各機能部（図４参照）を実現する。
【００１７】
不揮発性メモリ２０は、オペレーションシステムや各種のアプリケーションプログラム、プログラムの実行に必要な各種データなどを記憶する。ＲＡＭ２１は、電子機器１０のメインメモリとして、ＣＰＵ１６がプログラムを実行する際の作業領域を提供する。
【００１８】
システムコントローラ１７は、不揮発性メモリ２０およびＲＡＭ２１に対するアクセスを制御するメモリコントローラを内蔵する。また、システムコントローラ１７は、グラフィックスコントローラ１８、タッチパネルコントローラ１９、音声処理部２２との通信を実行する機能を有する。また、システムコントローラ１７は、操作スイッチ１３が受け付けたユーザ操作の情報や、カメラモジュール１５からの画像情報を入力する機能を有する。また、システムコントローラ１７は、無線通信モジュール２３を利用して電子機器１０の外部から各種情報を取得する機能を有する。
【００１９】
グラフィックスコントローラ１８は、表示部１２のディスプレイ１２ａを制御する表示コントローラである。タッチパネルコントローラ１９は、タッチパネル１２ｂを制御し、ユーザによるタッチ位置を示す座標データをタッチパネル１２ｂから取得する。
【００２０】
音声処理部２２は、ＣＰＵ１６による制御のもとで、音声合成などの音声処理を施して生成した音声ガイダンスなどをスピーカ１４から出力させる処理を行う。
【００２１】
無線通信モジュール２３は、ＣＰＵ１６による制御のもとで、上述したエアコン１、テレビ２、照明装置３、冷蔵庫４および洗濯乾燥機５などの各家電機器との間の無線通信や、ネットワーク６に接続するための無線通信を実行する。
【００２２】
図４は、ＣＰＵ１６が上述した節電アプリを実行することにより実現される電子機器１０の機能構成を示すブロック図である。節電アプリの実行により、電子機器１０には、図４に示すように、検知部３１、表示制御部３２および報知部３３の各機能構成が実現される。なお、節電アプリは、例えば、表示部１２に表示されている節電アプリを表すアイコンをユーザがタッチすることによって起動する。
【００２３】
検知部３１は、カメラモジュール１５により撮影された画像から、上述した各種の家電機器（電力を消費する機器）を検知する。具体的には、ユーザが例えばエアコン１の消費電力に関わる情報を確認したいと考えた場合、ユーザは、節電アプリを起動した状態で電子機器１０をエアコン１にかざし、カメラモジュール１５の背面カメラ（前面カメラでもよい）によりエアコン１を撮影する。なお、ここでいう撮影とは、被写体の画像を静止画として記録する動作のみを意味するものではなく、被写体の画像をカメラモジュール１５により入力し、表示部１２に表示させる動作も含む。ユーザ操作に応じてカメラモジュール１５により被写体を含む画像が撮影（入力）されると、検知部３１は、撮影（入力）された画像に対して画像処理を行い、この画像からユーザの操作に応じて撮影した被写体である家電機器（上記の例ではエアコン１）を検知する。
【００２４】
カメラモジュール１５により撮影（入力）された画像に対して検知部３１が行う画像処理としては、例えばパターンマッチングなど、画像から物体を検知する技術として既に知られている様々な技術を利用することができる。画像に対するパターンマッチングにより家電機器を検知する場合、家庭内に設置された各家電機器それぞれの特徴量を予め記憶しておき、カメラモジュール１５により入力された画像と各家電機器の特徴量とを比較して、いずれかの家電機器の特徴量にマッチングする物体が画像から抽出された場合に、その物体を家電機器として検出すればよい。
【００２５】
表示制御部３２は、検知部３１が画像から家電機器を検知した場合に、この家電機器の消費電力を示す第１情報と、この家電機器の消費電力に影響を与える操作の要否を判断するための第２情報とを表示部１２に表示させる。このとき、表示制御部３２は、ユーザの操作に応じてカメラモジュール１５により撮影（入力）された画像に重畳（オーバーレイ）するかたちで、第１情報や第２情報を表示部１２に表示させることが望ましい。ユーザの操作に応じてカメラモジュール１５により撮影（入力）された画像には、検知部３１が検知した家電機器が含まれるため、この画像上に第１情報や第２情報をオーバーレイして表示部１２に表示させることにより、ユーザは、家電機器と第１情報および第２情報とを直感的に関連付けて把握することが可能になる。
【００２６】
第１情報は、例えば、家電機器の現在の消費電力である。家電機器の現在の消費電力は、一例として、その家電機器から取得することができる。表示制御部３２は、無線通信モジュール２３を用いて、検知部３１が検知した家電機器から、この家電機器の現在の消費電力を取得し、表示部１２に表示させる。なお、家庭内の各家電機器に電力を配分する分電盤に電力計測ユニットが接続され、この電力計測ユニットが各家電機器の消費電力をリアルタイムで計測している場合、表示制御部３２は、無線通信モジュール２３を用いて電力計測ユニットにアクセスし、この電力計測ユニットから、検知部３１が検知した家電機器の現在の消費電力を取得して表示部１２に表示させるようにしてもよい。また、家庭内の各家電機器の動作を監視しながらこれら各家電機器を統合的に制御するためのホームサーバが設けられている場合、表示制御部３２は、無線通信モジュール２３を用いてホームサーバにアクセスし、このホームサーバから、検知部３１が検知した家電機器の現在の消費電力を取得して表示部１２に表示させるようにしてもよい。
【００２７】
また、家電機器または上記電力計測ユニットまたは上記ホームサーバが、家電機器の過去の（例えば前日の）消費電力量を記憶する機能を持つ場合、表示制御部３２は、家電機器または上記電力計測ユニットまたは上記ホームサーバから、家電機器の前日の消費電力量を取得して、家電機器の前日の消費電力を現在の消費電力と併せて第１情報として表示部１２に表示させるようにしてもよい。また、家電機器または上記電力計測ユニットまたは上記ホームサーバが、現在の家電機器の消費電力から１日の予想消費電力量を算出する機能を持つ場合、表示制御部３２は、家電機器または上記電力計測ユニットまたは上記ホームサーバから、１日の予想消費電力量を取得して、家電機器の１日の予想消費電力量を、現在の消費電力や前日の消費電力などとともに第１情報として表示部１２に表示させるようにしてもよい。なお、第１情報の表示形態は、例えば、数値による表示やグラフ表示など、任意に定めることができる。また、第１情報の表示形態を、ユーザの設定に応じて変更できるようにしてもよい。
【００２８】
第２情報は、上述したように、検知部３１が画像から検知した家電機器の消費電力に影響を与える操作の要否を判断するための情報である。家電機器の消費電力に影響を与える操作は、その家電機器の種類ごとに様々である。したがって、第２情報は、その家電機器の種類に応じて異なった項目についての情報となる。
【００２９】
検知部３１が画像から検知した家電機器がエアコン１の場合、第２情報は、例えば、室温、外気温、現在および今後の天気の概況や気温変化を示す気象情報などである。表示制御部３２は、検知部３１が画像からエアコン１を検知した場合、無線通信モジュール２３を用いて、例えば、エアコン１が内蔵する温度センサが計測した室温の情報をエアコン１から取得するとともに、外気温の情報、気象情報などを、ネットワーク６上の情報提供サーバ７から取得する。そして、表示制御部３２は、エアコン１や情報提供サーバ７から取得したこれらの情報ごとに、当該情報を示す項目を第２情報として表示部１２に表示させる。これらの第２情報は、エアコン１の消費電力に影響を与える操作、例えば、エアコン１の電源オン／オフ操作や設定温度を変更する操作などを行うべきかどうかをユーザが判断するために有用な情報となる。なお、表示制御部３２は、上記の第１情報と第２情報以外のエアコン１に関連する他の情報（例えば、エアコン１のフィルタの汚れ状況など）を取得して、第１情報および第２情報と併せて表示部１２に表示させるようにしてもよい。
【００３０】
検知部３１が画像から検知した家電機器がテレビ２の場合、第２情報は、例えば、連続視聴時間（連続電源オン時間）、テレビ２が節電モード中であるか否かの情報などである。なお、節電モードとは、表示画面の輝度を低下させることでテレビ２の消費電力を低減させる動作モードである。表示制御部３２は、検知部３１が画像からテレビ２を検知した場合、無線通信モジュール２３を用いて、これら連続視聴時間や節電モード中であるか否かの情報などをテレビ２から取得する。そして、表示制御部３２は、テレビ２から取得したこれらの情報ごとに、当該情報を示す項目を第２情報として表示部１２に表示させる。これらの第２情報は、テレビ２の消費電力に影響を与える操作、例えば、テレビ２の電源オン／オフ操作や節電モードと通常モードとの切り替え操作などを行うべきかどうかをユーザが判断するために有用な情報となる。なお、表示制御部３２は、上記の第１情報と第２情報以外のテレビ２に関連する他の情報（例えば、視聴中番組の番組名など）を取得して、第１情報および第２情報と併せて表示部１２に表示させるようにしてもよい。
【００３１】
検知部３１が画像から検知した家電機器が照明装置３の場合、第２情報は、例えば、室内の明るさ、現在および今後の天気の概況や気温変化を示す気象情報などである。表示制御部３２は、検知部３１が画像から照明装置３を検知した場合、無線通信モジュール２３を用いて、例えば、照明装置３が内蔵する照度センサが計測した室温の明るさの情報を照明装置３から取得するとともに、気象情報などを、ネットワーク６上の情報提供サーバ７から取得する。そして、表示制御部３２は、照明装置３や情報提供サーバ７から取得したこれらの情報ごとに、当該情報を示す項目を第２情報として表示部１２に表示させる。これらの第２情報は、照明装置３の消費電力に影響を与える操作、例えば、照明装置３の電源オン／オフ操作や明るさを切り替える操作などを行うべきかどうかをユーザが判断するために有用な情報となる。なお、表示制御部３２は、上記の第１情報と第２情報以外の照明装置３に関連する他の情報（例えば、電球の消耗度合いなど）を取得して、第１情報および第２情報と併せて表示部１２に表示させるようにしてもよい。
【００３２】
検知部３１が画像から検知した家電機器が冷蔵庫４の場合、第２情報は、例えば、庫内温度、庫内の収納率の情報などである。表示制御部３２は、検知部３１が画像から冷蔵庫４を検知した場合、無線通信モジュール２３を用いて、例えば、冷蔵庫４が内蔵する温度センサが計測した庫内温度の情報や他のセンサが検知した庫内の収納率の情報などを冷蔵庫４から取得する。そして、表示制御部３２は、冷蔵庫４から取得したこれらの情報ごとに、当該情報を示す項目を第２情報として表示部１２に表示させる。これらの第２情報は、冷蔵庫４の消費電力に影響を与える操作、例えば、冷蔵庫４の設定温度を変更する操作などを行うべきかどうかをユーザが判断するために有用な情報となる。なお、表示制御部３２は、上記の第１情報と第２情報以外の冷蔵庫４に関連する他の情報（例えば、氷のストック量、製氷機の水の残量など）を取得して、第１情報および第２情報と併せて表示部１２に表示させるようにしてもよい。
【００３３】
検知部３１が画像から検知した家電機器が洗濯乾燥機５の場合、第２情報は、例えば、乾燥終了までの残り稼動時間、現在および今後の天気の概況や気温変化を示す気象情報などである。表示制御部３２は、検知部３１が画像から洗濯乾燥機５を検知した場合、無線通信モジュール２３を用いて、例えば、乾燥終了までの残り稼動時間の情報を洗濯乾燥機５から取得するとともに、気象情報などを、ネットワーク６上の情報提供サーバ７から取得する。そして、表示制御部３２は、洗濯乾燥機５や情報提供サーバ７から取得したこれらの情報ごとに、当該情報を示す項目を第２情報として表示部１２に表示させる。これらの第２情報は、洗濯乾燥機５の消費電力に影響を与える操作、例えば、洗濯乾燥機５の電源をオフして乾燥を中断し、洗濯物を外に干すべきかどうかをユーザが判断するために有用な情報となる。なお、表示制御部３２は、上記の第１情報と第２情報以外の洗濯乾燥機５に関連する他の情報（例えば、水の消費量など）を洗濯乾燥機５やネットワーク６上の情報提供サーバ７から取得して、第１情報および第２情報と併せて表示部１２に表示させるようにしてもよい。
【００３４】
本実施形態にかかる電子機器１０は、家庭内の各家電機器のそれぞれについて、第２情報として表示部１２に表示すべき情報の内容、第１情報や第２情報の取得先を示す情報（家電機器のアドレス情報や情報提供サーバ７のアドレス情報など）、検知部３１が画像から家電機器を検知するために必要な情報（例えば、各家電機器の特徴量の情報など）などを、例えば、各家電機器のＩＤと対応付けて保持している。これらの情報は、例えば、不揮発性メモリ２０に格納され、節電アプリの起動に伴って不揮発性メモリ２０からＲＡＭ２１上にロードされる。そして、例えば、検知部３１がカメラモジュール１５により撮影（入力）された画像から家電機器を検知した場合に、検知部３１から表示制御部３２に対して、検知した家電機器のＩＤが渡される。表示制御部３２は、この家電機器のＩＤをもとに第２情報として表示すべき情報の内容を特定するとともに、第１情報や第２情報の取得先を特定し、第１情報や第２情報の取得を行う。
【００３５】
報知部３３は、検知部３１が画像から検知した家電機器の消費電力を低減させる操作方法を、例えば、音声ガイダンスなどによってユーザに対して報知する。このとき、報知部３３は、表示制御部３２が取得した各種情報に基づいて、検知部３１が画像から検知した家電機器の消費電力を低減させる操作が推奨されるか否かを判断し、推奨されると判断した場合に、その操作方法をユーザに報知することが望ましい。
【００３６】
具体的には、例えば、検知部３１が画像から検知した家電機器がエアコン１の場合、報知部３３は、表示制御部３２が第２情報として取得した室温、外気温、気象情報などに基づいて、エアコン１の設定温度を上げる、あるいは電源をオフする操作が推奨されるか否かを判断する。そして、推奨されると判断した場合、報知部３３は、音声処理部２２を利用して、例えば、「温度設定が低すぎるようです。設定温度を上げてはいかがですか？」といった音声ガイダンスや、「外気温が下がってきました。エアコンを止めて窓を開けてはいかがですか？」といった音声ガイダンスをスピーカ１４から出力させる。
【００３７】
また、例えば、検知部３１が画像から検知した家電機器がテレビ２の場合、報知部３３は、表示制御部３２が第２情報として取得した連続視聴時間や節電モード中であるか否かの情報などに基づいて、テレビ２の電源をオフする、あるいは動作モードを通常モードから節電モードに切り替える操作が推奨されるか否かを判断する。そして、推奨されると判断した場合、報知部３３は、音声処理部２２を利用して、例えば、「連続視聴時間が３時間を超えています。テレビの電源をオフしたらいかがですか？」といった音声ガイダンスや、「節電モードがオフの状態です。節電モードをオンにすると消費電力が下がります。」といった音声ガイダンスをスピーカ１４から出力させる。
【００３８】
また、報知部３３は、表示制御部３２との協働により、上記のような音声ガイダンスに代えて、あるいは上記のような音声ガイダンスに加えて、音声ガイダンスの内容と同様のメッセージ文を表示部１２に表示させることで、家電機器の消費電力を低減させる操作方法の報知を行うようにしてもよい。この場合、メッセージ文は、例えば、第１情報および第２情報を表示する表示画面上にオーバーレイされる。
【００３９】
上記のように報知部３３がユーザに対して家電機器の消費電力を低減させる操作方法の報知を行うと、表示制御部３２は、この家電機器に対するユーザの操作を受け付ける操作画面を表示部１２にさらに表示させる。つまり、表示制御部３２は、上述した第１情報および第２情報を表示部１２に表示させた後、報知部３３による報知が行われると同時に、あるいは報知部３３による報知が行われた後に、報知部３３が報知した操作方法に従ってユーザが家電機器に対する操作を行うための操作画面を、表示部１２にさらに表示させる。
【００４０】
具体的には、例えば、報知部３３がエアコン１の設定温度を上げることをユーザに報知した場合、表示制御部３２は、エアコン１の設定温度を変更するための操作画面を表示部１２にさらに表示させる。また、例えば、報知部３３がエアコン１の電源をオフすることをユーザに報知した場合、表示制御部３２は、エアコン１の電源オン／オフを切り替えるための操作画面を表示部１２にさらに表示させる。また、例えば、報知部３３がテレビ２の電源オフや節電モードへの切り替えをユーザに報知した場合、表示制御部３２は、テレビ２の電源オン／オフを切り替えるための操作画面や、テレビ２の動作モードを節電モードに切り替えるための操作画面などを表示部１２にさらに表示させる。これらの操作画面は、例えば、第１情報および第２情報を表示する表示画面上にオーバーレイされる。なお、表示制御部３２は、報知部３３による操作方法の報知の有無にかかわらず、第１情報および第２情報を表示部１２に表示させた後に、家電機器に対する操作を受け付ける操作画面を表示部１２にさらに表示させるようにしてもよい。
【００４１】
表示制御部３２が表示部１２に表示させた操作画面を用いてユーザが家電機器に対する操作を行うと、その操作に応じた操作コマンドが、無線通信モジュール２３を介して対象となる家電機器に送信される。そして、操作コマンドを受信した家電機器は、その操作コマンドに応じて動作制御される。つまり、表示制御部３２が操作画面を表示部１２に表示させることにより、本実施形態にかかる電子機器１０を、家電機器を遠隔操作するためのリモコン端末として利用することができる。なお、タブレット端末などの電子機器１０をリモコン端末として利用する技術は既に知られた技術であるため、ここではその詳細な説明を省略する。
【００４２】
本実施形態にかかる電子機器１０から送信された操作コマンドに応じて家電機器が動作制御されると、その家電機器の消費電力が低減する。表示制御部３２は、家電機器の消費電力が低減した場合、無線通信モジュール２３を利用して、低減した後の消費電力を家電機器から取得し、表示部１２に表示させている第１情報を、消費電力の低減を認識できる表示形態に変化させる。これにより、ユーザは操作画面を用いた操作により家電機器の消費電力が低減されたことを直感的に認識することが可能となる。
【００４３】
また、報知部３３は、検知部３１が画像から検知した家電機器の消費電力を低減させるメンテナンス方法を、例えば、音声ガイダンスなどによってユーザに対して報知するようにしてもよい。このとき、報知部３３は、表示制御部３２が取得した各種情報に基づいて、検知部３１が画像から検知した家電機器の消費電力を低減させるメンテナンスが推奨されるか否かを判断し、推奨されると判断した場合に、そのメンテナンス方法を音声ガイダンスなどによってユーザに報知することが望ましい。
【００４４】
具体的には、例えば、検知部３１が画像から検知した家電機器がエアコン１の場合、報知部３３は、表示制御部３２が取得したエアコン１のフィルタの汚れ状況を示す情報に基づいて、エアコン１のフィルタ清掃が推奨されるか否かを判断し、推奨されると判断した場合に、フィルタ清掃の方法を説明する音声ガイダンスなどをスピーカ１４から出力させる。このとき報知部３３は、エアコン１のフィルタ清掃を促す警告を行った後、フィルタ清掃の方法を説明する音声ガイダンスを出力させることが望ましい。
【００４５】
次に、電子機器１０の表示部１２に表示される画面の具体例について説明する。図５は、エアコン１の消費電力に関わる情報を表示する場合の表示部１２の画面遷移の一例を示す図である。
【００４６】
ユーザが電子機器１０をエアコン１にかざすことで、カメラモジュール１５の撮影範囲内にエアコン１が入ると、図５（ａ）に示すように、カメラモジュール１５により入力されたエアコン１を含む画像が表示部１２に表示される。検知部３１は、このカメラモジュール１５により入力された画像からエアコン１を検知する。このとき、検知部３１が家電機器を検知したことをユーザに認識させるために、検知できた家電機器の範囲を示すマークＭを表示部１２の表示画面に表示することが望ましい。
【００４７】
検知部３１が画像からエアコン１を検知すると、表示制御部３２がエアコン１に関する第１情報および第２情報を取得して、表示部１２に表示させる。これにより、表示部１２の表示画面は、図５（ａ）に示した画面から図５（ｂ）に示す画面に遷移し、まず、検知部３１により検知したエアコン１を示す「リビングルームエアコン」という表示データが表示される。
【００４８】
続いて、図５（ｂ）に示す表示画面では、第１情報Ｄ１としてエアコン１の現在の消費電力が表示され、更に、第２情報Ｄ２として、室温、外気温、現在および今後の天気の概況と気温変化、気温変化と現在の室温との関係を表すグラフなどが表示される。ユーザは、この表示画面を見て、エアコン１の現在の消費電力を認識するとともに、現在および今後の気温に対して室温が適切であるか否かを認識し、エアコン１の電源をオフしたり設定温度を変更したりすべきかどうかを的確に判断することができる。
【００４９】
なお、検知部３１が画像からエアコン１を検知したときに、エアコン１を含む画像を静止画として記録しておき、その後、エアコン１に関する各種情報を表示する際には、記録した静止画を背景として各種情報をオーバーレイ表示することが望ましい。これにより、検知部３１が画像からエアコン１を検知した後にユーザが電子機器１０を動かしたとしても、表示している各種情報がエアコン１に関する情報であることを、ユーザが直感的に認識することができる。
【００５０】
表示制御部３２がエアコン１に関する第１情報および第２情報を表示部１２に表示させた後、例えば所定時間が経過すると、報知部３３が、エアコン１の消費電力を低減させる操作方法をユーザに報知するための音声ガイダンスをスピーカ１４から出力させるとともに、表示制御部３２との協働により、エアコン１の消費電力を低減させる操作方法を示すメッセージ文を、表示部１２に表示させる。また、表示制御部３２は、エアコン１に対するユーザの操作を受け付ける操作画面を表示部１２にさらに表示させる。これにより、表示部１２の表示画面は、図５（ｂ）に示した画面から図５（ｃ）に示す画面に遷移する。
【００５１】
図５（ｃ）に示す表示画面では、図５（ｂ）に示した表示画面上に、「温度設定が低すぎるようです。設定温度を上げてはいかがですか？」といったメッセージ文Ｄ３と、エアコン１の設定温度を変更するための操作画面Ｄ４とがオーバーレイされている。ユーザは、この表示画面上のメッセージ文Ｄ３や音声ガイダンスなどによってエアコン１の設定温度を上げることが望ましいことを確実に認識することができ、また、表示部１２に表示された操作画面Ｄ４を利用して、エアコン１の設定温度を上げる操作を容易に行うことができる。つまり、ユーザは、電子機器１０から報知される音声ガイダンスやメッセージ文Ｄ３に従って、電子機器１０をリモコン端末として利用しながら、エアコン１の消費電力を低減させるための操作を容易に行うことができる。
【００５２】
ユーザが表示部１２に表示された操作画面Ｄ４を利用してエアコン１の設定温度を上げる操作を行った場合、その操作に対応する操作コマンドが無線通信モジュール２３を介してエアコン１に送信され、操作コマンドに応じてエアコン１の設定温度が上げられる。その結果、エアコン１の消費電力が低減する。また、操作画面Ｄ４を利用したユーザの操作が行われると、表示制御部３２は、表示部１２へのメッセージ文Ｄ３や操作画面Ｄ４の表示を終了するとともに、無線通信モジュール２３を利用して、操作コマンドに応じた設定温度の変更により低減したエアコン１の消費電力をエアコン１から取得し、表示部１２に表示させている第１情報Ｄ１を、消費電力の低減を認識できる表示形態に変化させる。これにより、表示部１２の表示画面は、図５（ｃ）に示した画面から図５（ｄ）に示す画面に遷移する。
【００５３】
図５（ｄ）に示す表示画面では、エアコン１の消費電力が８５０Ｗから８３７Ｗに低減されたことが分かるように、第１情報Ｄ１が表示されている。ユーザは、この表示画面上の第１情報Ｄ１を見て、操作画面Ｄ４を用いた操作によってエアコン１の消費電力が低減されたことを直感的に認識することができる。
【００５４】
図６は、テレビ２の消費電力に関わる情報を表示する場合の表示部１２の画面遷移の一例を示す図である。
【００５５】
ユーザが電子機器１０をテレビ２にかざすことで、検知部３１がカメラモジュール１５により入力された画像からテレビ２を検知する。このとき、検知部３１が家電機器を検知下ことをユーザに認識させるために、図６（ａ）に示すように、検知できた家電機器の範囲を示すマークＭを表示部１２の表示画面に表示する。
【００５６】
検知部３１が画像からテレビ２を検知すると、表示制御部３２がテレビ２に関する第１情報および第２情報を取得して、表示部１２に表示させる。これにより、表示部１２の表示画面は、図６（ａ）に示した画面から図６（ｂ）に示す画面に遷移し、まず、検知部３１により検知したテレビ２を示す「リビングルームテレビ」という表示データが表示される。続いて、図６（ｂ）に示す表示画面では、第１情報Ｄ１としてテレビ２の現在の消費電力が表示され、更に、第２情報Ｄ２として、連続視聴時間、節電モード中であるか否かの情報などが表示される。ユーザは、この表示画面を見て、テレビ２の現在の消費電力を認識するとともに、これまでのテレビ２の動作状態を認識し、テレビ２の電源をオフしたり節電モードに切り替えたりすべきかどうかを的確に判断することができる。
【００５７】
なお、検知部３１が画像からテレビ２を検知したときに、テレビ２を含む画像を静止画として記録しておき、その後、テレビ２に関する各種情報を表示する際には、記録した静止画を背景として各種情報を表示することが望ましい。これにより、検知部３１が画像からテレビ２を検知した後にユーザが電子機器１０を動かしたとしても、表示している各種情報がテレビ２に関する情報であることを、ユーザが直感的に認識することができる。
【００５８】
表示制御部３２がテレビ２に関する第１情報および第２情報を表示部１２に表示させた後、例えば所定時間が経過すると、報知部３３が、テレビ２の消費電力を低減させる操作方法をユーザに報知するための音声ガイダンスをスピーカ１４から出力させるとともに、表示制御部３２との協働により、テレビ２の消費電力を低減させる操作方法を示すメッセージ文を、表示部１２に表示させる。また、表示制御部３２は、テレビ２に対するユーザの操作を受け付ける操作画面を表示部１２にさらに表示させる。これにより、表示部１２の表示画面は、図６（ｂ）に示した画面から図６（ｃ）に示す画面に遷移する。
【００５９】
図６（ｃ）に示す表示画面では、図６（ｂ）に示した表示画面上に、「節電モードがオフの状態です。節電モードをオンにすると消費電力が下がります。」といったメッセージ文Ｄ３と、テレビ２の動作モードを節電モードに切り替えるための操作画面Ｄ４とがオーバーレイされている。ユーザは、この表示画面上のメッセージ文Ｄ３や音声ガイダンスなどによってテレビ２の動作モードを節電モードに切り替えることが望ましいことを確実に認識することができ、また、表示部１２に表示された操作画面Ｄ４を利用して、テレビ２の動作モードを節電モードに切り替える操作を容易に行うことができる。つまり、ユーザは、電子機器１０から報知される音声ガイダンスやメッセージ文Ｄ３に従って、電子機器１０をリモコン端末として利用しながら、テレビ２の消費電力を低減させるための操作を容易に行うことができる。
【００６０】
ユーザが表示部１２に表示された操作画面Ｄ４を利用してテレビ２の動作モードを節電モードに切り替える操作を行った場合、その操作に対応する操作コマンドが無線通信モジュール２３を介してテレビ２に送信され、操作コマンドに応じてテレビ２の動作モードが通常モードから節電モードへと切り替えられる。その結果、テレビ２の消費電力が低減する。また、操作画面Ｄ４を利用したユーザの操作が行われると、表示制御部３２は、表示部１２へのメッセージ文Ｄ３や操作画面Ｄ４の表示を終了するとともに、無線通信モジュール２３を利用して、操作コマンドに応じた節電モードへの切り替えにより低減したテレビ２の消費電力をテレビ２から取得し、表示部１２に表示させている第１情報Ｄ１を、消費電力の低減を認識できる表示形態に変化させる。これにより、表示部１２の表示画面は、図６（ｃ）に示した画面から図６（ｄ）に示す画面に遷移する。
【００６１】
図６（ｄ）に示す表示画面では、テレビ２の消費電力が１５０Ｗから１００Ｗに低減されたことが分かるように、第１情報Ｄ１が表示されている。ユーザは、この表示画面上の第１情報Ｄ１を見て、操作画面Ｄ４を用いた操作によってテレビ２の消費電力が低減されたことを直感的に認識することができる。
【００６２】
次に、ユーザが本実施形態にかかる電子機器１０をエアコン１にかざす場合を想定して、電子機器１０の動作の具体例について、図７を参照して説明する。図７は、電子機器１０の動作の具体例を示すフローチャートであり、ユーザ操作に応じて節電アプリが起動されることによって開始される。
【００６３】
節電アプリが起動すると、カメラモジュール１５が画像の撮影（入力）を開始し、検知部３１が、カメラモジュール１５により入力された画像から家電機器を検知する処理を開始する（ステップＳ１０１）。このとき、ユーザが所望の家電機器に対して電子機器１０をかざす行為を促すために、報知部３３が、例えば、「タブレットを家電機器にかざして下さい。」といった音声ガイダンスをスピーカ１４から出力させるようにしてもよい。カメラモジュール１５により入力された画像は表示部１２に表示されるため、ユーザは表示部１２に表示される画像を確認しながら、所望の家電機器に電子機器１０をかざして画像を取得することができる。本例では、ユーザが電子機器１０をエアコン１にかざすことにより、カメラモジュール１５によりエアコン１を被写体とする画像が入力され、検知部３１が、この画像からエアコン１を検知する。
【００６４】
カメラモジュール１５により入力された画像からエアコン１が検知されると、表示制御部３２が、検知されたエアコン１の消費電力を示す第１情報と、検知されたエアコン１の消費電力に影響を与える操作の要否を判断するための第２情報とを、エアコン１やネットワーク６上の情報処理サーバ７から取得する（ステップＳ１０２）。本例では、第２情報としては、室温、外気温、気象情報などが取得される。また、表示制御部３２は、エアコン１に関する情報として、エアコン１のフィルタの汚れ状況などの情報も取得する。
【００６５】
次に、表示制御部３２は、ステップＳ１０２で取得した第１情報および第２情報を、表示部１２に表示させる（ステップＳ１０３）。また、報知部３３が、ステップＳ１０２で第２情報として取得された室温、外気温、気象情報などに基づいて、エアコン１の設定温度を上げたり電源をオフするといった、エアコン１の消費電力を低減させる操作が推奨されるか否かを判断する（ステップＳ１０４）。そして、エアコン１の消費電力を下げる操作が推奨されると判断した場合（ステップＳ１０４：Ｙｅｓ）、報知部３３は、例えば、「温度設定が低すぎるようです。設定温度を上げてはいかがですか？」、あるいは「外気温が下がってきました。エアコンを止めて窓を開けてはいかがですか？」といった音声ガイダンスをスピーカ１４から出力させることで、エアコン１の消費電力を低減させる操作方法をユーザに対して報知する（ステップＳ１０５）。一方、エアコン１の消費電力を低減させる操作が推奨されないと判断した場合は（ステップＳ１０４：Ｎｏ）、ステップＳ１０９に処理を移行する。
【００６６】
ステップＳ１０５で報知部３３がエアコン１の消費電力を低減させる操作方法の報知を行った場合、表示制御部３２は、ユーザが家電機器に対する操作を行うための操作画面、例えば、エアコン１の設定温度を変更するための操作画面や、エアコン１の電源オン／オフを切り替えるための操作画面などを表示部１２に表示させ（ステップＳ１０６）、この操作画面を利用したユーザ操作を監視する（ステップＳ１０７）。そして、ユーザがこの表示部１２に表示された操作画面を利用して、エアコン１の設定温度を上げる操作やエアコン１の電源をオフする操作を行った場合（ステップＳ１０７：Ｙｅｓ）、表示制御部３２は、そのユーザ操作に対応する操作コマンドを、無線通信モジュール２３を用いてエアコン１に送信する（ステップＳ１０８）。その結果、ユーザ操作に応じたエアコン１の設定温度の変更や電源オフなどが行われ、エアコン１の消費電力が低減される。このとき、ユーザ操作に応じて実際にエアコン１の消費電力が低減したことをユーザに確実に認識させるために、報知部３３が、例えば、「消費電力が下がりました。」といった音声ガイダンスをスピーカ１４から出力させるようにしてもよい。なお、操作画面を利用したユーザ操作がなければ（ステップＳ１０７：Ｎｏ）、ステップＳ１０８の処理は行わずにステップＳ１０９に移行する。
【００６７】
次に、報知部３３は、表示制御部３２により取得されたエアコン１のフィルタの汚れ状況を示す情報に基づいて、エアコン１のフィルタ清掃が推奨されるか否かを判断する（ステップＳ１０９）。そして、エアコン１のフィルタ清掃が推奨されると判断した場合（ステップＳ１０９：Ｙｅｓ）、報知部３３は、エアコン１のフィルタ清掃を促す警告とともに、フィルタ清掃の方法を説明する音声ガイダンスなどをスピーカ１４から出力させる（ステップＳ１１０）。一方、エアコン１のフィルタ清掃は不要と判断した場合には（ステップＳ１０９：Ｎｏ）、ステップＳ１１０の処理は行わずにステップＳ１１１に移行する。
【００６８】
上記の一連の処理が行われている間、節電アプリを終了させるユーザ操作の有無が、例えば、オペレーションシステムによって監視される（ステップＳ１１１）。そして、節電アプリを終了する操作がなされていなければ（ステップＳ１１１：Ｎｏ）、ステップＳ１０１〜ステップＳ１１０の処理が繰り返し実行され、節電アプリを終了する操作がなされた段階で（ステップＳ１１１：Ｙｅｓ）、図７のフローチャートで示す一連の処理が終了する。
【００６９】
以上、具体的な例を挙げながら詳細に説明したように、本実施形態にかかる電子機器１０は、カメラモジュール１５により撮影（入力）された画像から家電機器を検知する検知部３１と、検知部３１が画像から検知した家電機器の消費電力を示す第１情報および当該家電機器の消費電力に影響を与える操作の要否を判断するための第２情報とを表示部１２に表示させる表示制御部３２と、を備える。本実施形態にかかる電子機器１０は、これら検知部３１および表示制御部３２を備えることによって、電子機器１０を所望の家電機器にかざす（家電機器の画像をカメラモジュール１５により入力する）といった簡便な操作により、所望の家電機器の消費電力に関わる情報を直感的で分かり易くユーザに確認させることができる。
【００７０】
また、本実施形態にかかる電子機器１０の表示制御部３２は、第１情報および第２情報を、ユーザの操作に応じてカメラモジュール１５により撮影（入力）された画像にオーバーレイして表示部１２に表示させる。したがって、ユーザは、表示部１２に表示された第１情報および第２情報を、対象となる家電機器と直感的に関連付けて把握することが可能になる。
【００７１】
また、本実施形態にかかる電子機器１０は、検知部３１が画像から検知した家電機器の消費電力を低減させる操作方法を報知する報知部３３をさらに備える。本実施形態にかかる電子機器１０は、この報知部３３を備えることによって、カメラモジュール１５により撮影（入力）された家電機器の消費電力を低減させる操作方法をユーザに知らせ、節電に寄与する家電機器の操作をユーザに促すことができる。
【００７２】
また、本実施形態にかかる電子機器１０の報知部３３は、検知部３１が画像から検知した家電機器の消費電力を低減させるメンテナンス方法を報知する。したがって、家電機器の消費電力を低減させるメンテナンス方法をユーザに認識させて、節電に寄与する家電機器のメンテナンスをユーザに促すことができる。
【００７３】
また、本実施形態にかかる電子機器１０の表示制御部３２は、表示部１２に第１情報と第２情報とを表示させた後、検知部３１が画像から検知した家電機器に対する操作を受け付ける操作画面を、表示部１２にさらに表示させる。したがって、ユーザは、表示部１２の表示画面を見ながら節電に寄与する家電機器の操作を簡便に行うことができる。
【００７４】
また、本実施形態にかかる電子機器１０の表示制御部３２は、表示部１２の操作画面が受け付けた操作に応じて家電機器の消費電力が低減した場合に、消費電力の低減を認識できる表示形態で第１情報を表示部１２に表示させる。したがって、ユーザは、操作画面を用いた操作により家電機器の消費電力が低減されたことを直感的に認識することができる。
【００７５】
＜変形例＞
なお、家庭内には、電力を消費せずに人手によって状態が変化するが、その状態変化が家電機器の消費電力に影響を与える物体も存在する。例えば、人手によって開閉される窓は、それ自体が電力を消費することはないが、開放されると外気が室内に取り込まれて室内温度が外気温に近づくことになるため、エアコン１の消費電力に影響を与える物体である。また、人手によって開閉されるカーテンは、それ自体が電力を消費することはないが、開放されると外光が室内に取り込まれて室内の明るさが変化するため、照明装置３の消費電力に影響を与える物体である。
【００７６】
本実施形態にかかる電子機器１０は、検知部３１が、カメラモジュール１５により入力された画像から、家電機器だけでなく上記のような窓やカーテンといった物体も検知できるようにし、検知部３１が画像からこれらの物体を検知した場合には、表示制御部３２が、これらの物体の状態変化の要否を判断するための第３情報を表示部１２に表示させるようにしてもよい。
【００７７】
具体的には、検知部３１が画像から窓を検知した場合、表示制御部３２は、窓に関する第３情報として、例えば、外気温、気象情報、室温などの情報を取得して、表示部１２に表示させる。これらの情報は、窓を開けて外気を取り入れる、あるいは窓を閉めて外気を遮断する必要性をユーザが判断する上で有用な情報となる。また、ユーザが電子機器１０を窓にかざすことで電子機器１０が家の外を検知することにより、外気温、気象情報などを電子機器１０に表示してユーザに知らせることも有用である。
【００７８】
また、検知部３１が画像からカーテンを検知した場合、表示制御部３２は、カーテンに関する第３情報として、例えば、室内の明るさや、地域の計画停電に関する情報などを取得して、表示部１２に表示させる。これらの情報は、カーテンを開けて外光を取り入れる、あるいはカーテンを閉めて外光を遮断する必要性をユーザが判断する上で有用な情報となる。
【００７９】
＜第２の実施形態＞
次に、第２の実施形態について説明する。第２の実施形態は、同一種類の家電機器が家庭内に複数設置されている場合の適用例である。第１の実施形態にかかる電子機器１０は、カメラモジュール１５により撮影（入力）された画像から検知部３１が検知した家電機器のみを対象として、この家電機器の消費電力に関わる情報を表示部１２に表示していた。これに対して、本実施形態にかかる電子機器（以下、電子機器１０Ａと表記する。）は、検知部３１が検知した家電機器だけでなく、当該家電機器と同一種類の他の家電機器の消費電力に関わる情報も表示部１２に表示する。なお、以下では、第１の実施形態と共通の構成については同一の符号を付して、重複した説明を省略する。
【００８０】
図８は、第２の実施形態にかかる家庭内システムの概要を示す模式図である。本実施形態では、リビングルームにエアコン（以下、リビングルームエアコン１ａと表記する。）とテレビ（以下、リビングルームテレビ２ａと表記する。）が設置され、子供部屋にエアコン（以下、子供部屋エアコン１ｂと表記する。）とテレビ（以下、子供部屋テレビ２ｂと表記する。）が設置され、寝室にエアコン（以下、寝室エアコン１ｃと表記する。）とテレビ（以下、寝室テレビ２ｃと表記する。）がそれぞれ設置されている。リビングルームエアコン１ａ、子供部屋エアコン１ｂおよび寝室エアコン１ｃは、同一種類の家電機器である。また、リビングルームテレビ２ａ、子供部屋テレビ２ｂおよび寝室テレビ２ｃは、同一種類の家電機器である。
【００８１】
本実施形態にかかる電子機器１０Ａは、第１の実施形態にかかる電子機器１０と同様のハードウェア構成（図３参照）を備え、リビングルームエアコン１ａ、子供部屋エアコン１ｂ、寝室エアコン１ｃ、リビングルームテレビ２ａ、子供部屋テレビ２ｂおよび寝室テレビ２ｃの各家電機器や、ネットワーク６上の情報提供サーバ７から、各種の情報を取得することができる。
【００８２】
図９は、本実施形態にかかる電子機器１０ＡのＣＰＵ１６が節電アプリを実行することにより実現される電子機器１０Ａの機能構成を示すブロック図である。本実施形態にかかる電子機器１０Ａでは、図９に示すように、第１の実施形態にかかる電子機器１０の機能構成に加えて特定部３４が設けられ、また、第１の実施形態の表示制御部３２に代えて表示制御部３２Ａ、第１の実施形態の報知部３３に代えて報知部３３Ａが設けられる。
【００８３】
特定部３４は、カメラモジュール１５により撮影（入力）された画像から検知部３１が検知した家電機器と同一種類の他の家電機器を特定する。例えば、検知部３１が画像から検知した家電機器がリビングルームエアコン１ａの場合、特定部３４は、このリビングルームエアコン１ａと同一種類の他の家電機器として、子供部屋エアコン１ｂおよび寝室エアコン１ｃを特定する。また、検知部３１が画像から検知した家電機器がリビングルームテレビ２ａの場合、特定部３４は、このリビングルームテレビ２ａと同一種類の他の家電機器として、子供部屋テレビ２ｂおよび寝室テレビ２ｃを特定する。
【００８４】
本実施形態にかかる電子機器１０Ａは、第１の実施形態にかかる電子機器１０と同様に、家庭内の各家電機器のそれぞれについて、第２情報として表示部１２に表示すべき情報の内容、第１情報や第２情報の取得先を示す情報（家電機器のアドレス情報や情報提供サーバ７のアドレス情報など）、検知部３１が画像から家電機器を検知するために必要な情報（例えば、各家電機器の特徴量の情報など）などを、例えば、各家電機器のＩＤと対応付けて保持している。また、特に本実施形態では、各家電機器のＩＤが、同一種類の家電機器ごとに関連付けられている。これらの情報は、例えば、不揮発性メモリ２０に格納され、節電アプリの起動に伴って不揮発性メモリ２０からＲＡＭ２１上にロードされる。そして、例えば、検知部３１がカメラモジュール１５により撮影（入力）された画像から家電機器を検知した場合に、検知部３１から特定部３４に対して、検知した家電機器のＩＤが渡される。特定部３４は、検知部３１から受け取った家電機器のＩＤに関連付けられた他の家電機器のＩＤを検索し、検知部３１から取得した家電機器のＩＤと、検索によって得られた家電機器のＩＤとを表示制御部３２Ａに渡す。
【００８５】
表示制御部３２Ａは、検知部３１が画像から家電機器を検知し、特定部３４が検知部３１により検知された家電機器と同一種類の他の家電機器を特定した場合に、検知部３１が画像から検知した家電機器についての第１情報および第２情報だけでなく、特定部３４が特定した家電機器についての第１情報および第２情報も併せて表示部１２に表示させる。例えば、表示制御部３２Ａは、特定部３４からから受け取った家電機器のＩＤ、つまり、検知部３１が画像から検知した家電機器のＩＤと、特定部３４が特定した家電機器のＩＤとをもとに、第２情報として表示すべき情報の内容を特定するとともに、各家電機器それぞれについての第１情報や第２情報の取得先を特定し、第１情報や第２情報の取得を行う。そして、表示制御部３２Ａは、取得した各家電機器についての第１情報および第２情報を表示部１２に表示させる。
【００８６】
報知部３３Ａは、表示部１２に第１情報および第２情報が表示された各家電機器のうち、例えば、ユーザのタッチ操作により指定された家電機器の消費電力を低減させる操作方法を、音声ガイダンスなどによってユーザに対して報知する。このとき、報知部３３Ａは、第１の実施形態の報知部３３と同様に、表示制御部３２Ａが取得した各種情報に基づいて、指定された家電機器の消費電力を低減させる操作が推奨されるか否かを判断し、推奨されると判断した場合に、その操作方法をユーザに報知することが望ましい。
【００８７】
また、報知部３３Ａは、第１の実施形態の報知部３３と同様に、表示制御部３２Ａとの協働により、音声ガイダンスに代えて、あるいは音声ガイダンスに加えて、音声ガイダンスの内容と同様のメッセージ文を表示部１２に表示させることで、指定された家電機器の消費電力を低減させる操作方法の報知を行うようにしてもよい。この場合、メッセージ文は、例えば、第１情報および第２情報を表示する表示画面上にオーバーレイされる。
【００８８】
上記のように報知部３３Ａがユーザに対して、指定された家電機器の消費電力を低減させる操作方法の報知を行うと、表示制御部３２Ａは、第１の実施形態の表示制御部３２と同様に、この家電機器に対するユーザの操作を受け付ける操作画面を表示部１２にさらに表示させる。ユーザがこの操作画面を用いて家電機器に対する操作を行うと、その操作に応じた操作コマンドが、無線通信モジュール２３を介して対象となる家電機器に送信される。そして、操作コマンドを受信した家電機器は、その操作コマンドに応じて動作制御され、その家電機器の消費電力が低減する。表示制御部３２Ａは、家電機器の消費電力が低減した場合、無線通信モジュール２３を利用して、低減した後の消費電力を家電機器から取得し、表示部１２に表示させている対象となる家電機器の第１情報を、消費電力の低減を認識できる表示形態に変化させる。これにより、ユーザは操作画面を用いた操作により家電機器の消費電力が低減されたことを直感的に認識することが可能となる。
【００８９】
また、報知部３３Ａは、第１の実施形態の報知部３３と同様に、例えば、ユーザのタッチ操作により指定された家電機器の消費電力を低減させるメンテナンス方法を、音声ガイダンスなどによってユーザに対して報知するようにしてもよい。このとき、報知部３３Ａは、第１の実施形態の報知部３３と同様に、表示制御部３２Ａが取得した各種情報に基づいて、指定された家電機器の消費電力を低減させるメンテナンスが推奨されるか否かを判断し、推奨されると判断した場合に、そのメンテナンス方法を音声ガイダンスなどによってユーザに報知することが望ましい。
【００９０】
次に、本実施形態にかかる電子機器１０Ａの表示部１２に表示される画面の具体例について説明する。図１０は、ユーザが電子機器１０Ａをリビングルームエアコン１ａにかざした場合の表示部１２の画面遷移の一例を示す図である。
【００９１】
ユーザが電子機器１０Ａをリビングルームエアコン１ａにかざすことで、カメラモジュール１５の撮影範囲内にリビングルームエアコン１ａが入ると、図１０（ａ）に示すように、カメラモジュール１５により入力されたリビングルームエアコン１ａを含む画像が表示部１２に表示される。そして、検知部３１が、このカメラモジュール１５により入力された画像からリビングルームエアコン１ａを検知する。
【００９２】
検知部３１が画像からリビングルームエアコン１ａを検知すると、特定部３４が、リビングルームエアコン１ａと同一種類の他の家電機器である子供部屋エアコン１ｂおよび寝室エアコン１ｃを特定する。そして、表示制御部３２Ａが、リビングルームエアコン１ａ、子供部屋エアコン１ｂおよび寝室エアコン１ｃに関する第１情報および第２情報を取得して、表示部１２に表示させる。これにより、表示部１２の表示画面は、図１０（ａ）に示した画面から図１０（ｂ）に示す画面に遷移する。
【００９３】
図１０（ｂ）に示す表示画面では、表示領域Ｒ１に、リビングルームエアコン１ａに関する第１情報Ｄ１としてリビングルームエアコン１ａの現在の消費電力が表示され、リビングルームエアコン１ａに関する第２情報Ｄ２として、リビングルームの室温および外気温が表示されている。また、表示領域Ｒ２に、子供部屋エアコン１ｂに関する第１情報Ｄ１として子供部屋エアコン１ｂの現在の消費電力が表示され、子供部屋エアコン１ｂに関する第２情報Ｄ２として、子供部屋の室温および外気温が表示されている。また、表示領域Ｒ３に、寝室エアコン１ｃに関する第１情報Ｄ１として寝室エアコン１ｃの現在の消費電力が表示され、寝室エアコン１ｃに関する第２情報Ｄ２として、寝室の室温および外気温が表示されている。また、表示領域Ｒ１，Ｒ２，Ｒ３と重ならない領域に、リビングルームエアコン１ａ、子供部屋エアコン１ｂおよび寝室エアコン１ｃに共通の第２情報Ｄ２として、現在および今後の天気の概況と気温変化などの気象情報が表示されている。ユーザは、この表示画面を見て、リビングルームエアコン１ａ、子供部屋エアコン１ｂおよび寝室エアコン１ｃのそれぞれの現在の消費電力を認識するとともに、現在および今後の気温に対して各部屋の室温が適切であるか否かを認識し、リビングルームエアコン１ａ、子供部屋エアコン１ｂおよび寝室エアコン１ｃのそれぞれについて、電源をオフしたり設定温度を変更したりすべきかどうかを的確に判断することができる。
【００９４】
表示制御部３２Ａがリビングルームエアコン１ａ、子供部屋エアコン１ｂおよび寝室エアコン１ｃに関する第１情報および第２情報を表示部１２に表示させた後、例えば、ユーザが表示領域Ｒ２をタッチ操作することで子供部屋エアコン１ｂを指定すると、報知部３３Ａが、子供部屋エアコン１ｂの消費電力を低減させる操作方法をユーザに報知するための音声ガイダンスをスピーカ１４から出力させるとともに、表示制御部３２Ａとの協働により、子供部屋エアコン１ｂの消費電力を低減させる操作方法を示すメッセージ文を、表示部１２に表示させる。また、表示制御部３２Ａは、子供部屋エアコン１ｂに対するユーザの操作を受け付ける操作画面を表示部１２にさらに表示させる。これにより、表示部１２の表示画面は、図１０（ｂ）に示した画面から図１０（ｃ）に示す画面に遷移する。
【００９５】
図１０（ｃ）に示す表示画面では、図１０（ｂ）に示した表示画面上に、「温度設定が低すぎるようです。設定温度を上げてはいかがですか？」といったメッセージ文Ｄ３と、子供部屋エアコン１ｂの設定温度を変更するための操作画面Ｄ４とがオーバーレイされている。ユーザは、この表示画面上のメッセージ文Ｄ３や音声ガイダンスなどによって子供部屋エアコン１ｂの設定温度を上げることが望ましいことを確実に認識することができ、また、表示部１２に表示された操作画面Ｄ４を利用して、子供部屋エアコン１ｂの設定温度を上げる操作を容易に行うことができる。つまり、ユーザは、電子機器１０Ａから報知される音声ガイダンスやメッセージ文Ｄ３に従って、電子機器１０Ａをリモコン端末として利用して、リビングルームにいながら子供部屋エアコン１ｂの消費電力を低減させるための操作を容易に行うことができる。
【００９６】
なお、子供部屋エアコン１ｂの指定に応じてメッセージ文Ｄ３や操作画面Ｄ４を表示部１２に表示させる場合、表示領域Ｒ１におけるリビングルームエアコン１ａに関する情報や、表示領域Ｒ３における寝室エアコン１ｃに関する情報については、表示を終了する、もしくは図１０（ｃ）のように表示を目立たなくすることが望ましい。これにより、表示部１２に表示されているメッセージ文Ｄ３や操作画面Ｄ４が子供部屋エアコン１ｂに関するものであることを、ユーザが直感的に認識することができる。
【００９７】
ユーザが表示部１２に表示された操作画面Ｄ４を利用して子供部屋エアコン１ｂの設定温度を上げる操作を行った場合、その操作に対応する操作コマンドが無線通信モジュール２３を介して子供部屋エアコン１ｂに送信され、操作コマンドに応じて子供部屋エアコン１ｂの設定温度が上げられる。その結果、子供部屋エアコン１ｂの消費電力が低減する。また、操作画面Ｄ４を利用したユーザの操作が行われると、表示制御部３２Ａは、表示部１２へのメッセージ文Ｄ３や操作画面Ｄ４の表示を終了するとともに、無線通信モジュール２３を利用して、操作コマンドに応じた設定温度の変更により低減した子供部屋エアコン１ｂの消費電力を子供部屋エアコン１ｂから取得し、表示部１２に表示させている第１情報Ｄ１を、消費電力の低減を認識できる表示形態に変化させる。これにより、表示部１２の表示画面は、図１０（ｃ）に示した画面から図１０（ｄ）に示す画面に遷移する。
【００９８】
図１０（ｄ）に示す表示画面では、子供部屋エアコン１ｂの消費電力が９００Ｗから８２０Ｗに低減されたことが分かるように、第１情報Ｄ１が表示されている。ユーザは、この表示画面上の第１情報Ｄ１を見て、操作画面Ｄ４を用いた操作によって子供部屋エアコン１ｂの消費電力が低減されたことを直感的に認識することができる。
【００９９】
図１１は、ユーザが電子機器１０Ａをリビングルームテレビ２ａにかざした場合の表示部１２の画面遷移の一例を示す図である。
【０１００】
ユーザが電子機器１０Ａをリビングルームテレビ２ａにかざすことで、カメラモジュール１５の撮影範囲内にリビングルームテレビ２ａが入ると、図１１（ａ）に示すように、カメラモジュール１５により入力されたリビングルームテレビ２ａを含む画像が表示部１２に表示される。そして、検知部３１が、このカメラモジュール１５により入力された画像からリビングルームテレビ２ａを検知する。
【０１０１】
検知部３１が画像からリビングルームテレビ２ａを検知すると、特定部３４が、リビングルームテレビ２ａと同一種類の他の家電機器である子供部屋テレビ２ｂおよび寝室テレビ２ｃを特定する。そして、表示制御部３２Ａが、リビングルームテレビ２ａ、子供部屋テレビ２ｂおよび寝室テレビ２ｃに関する第１情報および第２情報を取得して、表示部１２に表示させる。これにより、表示部１２の表示画面は、図１１（ａ）に示した画面から図１１（ｂ）に示す画面に遷移する。
【０１０２】
図１１（ｂ）に示す表示画面では、表示領域Ｒ１１に、リビングルームテレビ２ａに関する第１情報Ｄ１としてリビングルームテレビ２ａの現在の消費電力が表示され、リビングルームテレビ２ａに関する第２情報Ｄ２として、リビングルームテレビ２ａの連続視聴時間および節電モード中であるか否かの情報が表示されている。また、表示領域Ｒ１２に、子供部屋テレビ２ｂに関する第１情報Ｄ１として子供部屋テレビ２ｂの現在の消費電力が表示され、子供部屋テレビ２ｂに関する第２情報Ｄ２として、子供部屋テレビ２ｂの連続視聴時間および節電モード中であるか否かの情報が表示されている。また、表示領域Ｒ１３に、寝室テレビ２ｃに関する第１情報Ｄ１として寝室テレビ２ｃの現在の消費電力が表示され、寝室テレビ２ｃに関する第２情報Ｄ２として、寝室テレビ２ｃの連続視聴時間および節電モード中であるか否かの情報が表示されている。ユーザは、この表示画面を見て、リビングルームテレビ２ａ、子供部屋テレビ２ｂおよび寝室テレビ２ｃのそれぞれの現在の消費電力を認識するとともに、リビングルームテレビ２ａ、子供部屋テレビ２ｂおよび寝室テレビ２ｃのこれまでの動作状態を認識し、電源オフへの切り替えや節電モードへの切り替えを行うべきかどうかを的確に判断することができる。
【０１０３】
表示制御部３２Ａがリビングルームテレビ２ａ、子供部屋テレビ２ｂおよび寝室テレビ２ｃに関する第１情報および第２情報を表示部１２に表示させた後、例えば、ユーザが表示領域Ｒ１２をタッチ操作することで子供部屋テレビ２ｂを指定すると、報知部３３Ａが、子供部屋テレビ２ｂの消費電力を低減させる操作方法をユーザに報知するための音声ガイダンスをスピーカ１４から出力させるとともに、表示制御部３２Ａとの協働により、子供部屋テレビ２ｂの消費電力を低減させる操作方法を示すメッセージ文を、表示部１２に表示させる。また、表示制御部３２Ａは、子供部屋テレビ２ｂに対するユーザの操作を受け付ける操作画面を表示部１２にさらに表示させる。これにより、表示部１２の表示画面は、図１１（ｂ）に示した画面から図１１（ｃ）に示す画面に遷移する。
【０１０４】
図１１（ｃ）に示す表示画面では、図１１（ｂ）に示した表示画面上に、「連続視聴時間が４時間を超えています。子供部屋テレビの電源をオフしたらいかがですか？」といったメッセージ文Ｄ３と、子供部屋テレビ２ｂの電源オン／オフを切り替えるための操作画面Ｄ４とがオーバーレイされている。ユーザは、この表示画面上のメッセージ文Ｄ３や音声ガイダンスなどによって子供部屋テレビ２ｂの電源をオフすることが望ましいことを確実に認識することができ、また、表示部１２に表示された操作画面Ｄ４を利用して、子供部屋テレビ２ｂの電源をオフに切り替える操作を容易に行うことができる。つまり、ユーザは、電子機器１０Ａから報知される音声ガイダンスやメッセージ文Ｄ３に従って、電子機器１０Ａをリモコン端末として利用して、リビングルームにいながら子供部屋テレビ２ｂの消費電力を低減させるための操作を容易に行うことができる。
【０１０５】
なお、子供部屋テレビ２ｂの指定に応じてメッセージ文Ｄ３や操作画面Ｄ４を表示部１２に表示させる場合、表示領域Ｒ１１におけるリビングルームテレビ２ａに関する情報や、表示領域Ｒ１３における寝室テレビ２ｃに関する情報については、表示を終了する、もしくは図１１（ｃ）のように表示を目立たなくすることが望ましい。これにより、表示部１２に表示されているメッセージ文Ｄ３や操作画面Ｄ４が子供部屋テレビ２ｂに関するものであることを、ユーザが直感的に認識することができる。
【０１０６】
ユーザが表示部１２に表示された操作画面Ｄ４を利用して子供部屋テレビ２ｂの電源をオフする操作を行った場合、その操作に対応する操作コマンドが無線通信モジュール２３を介して子供部屋テレビ２ｂに送信され、操作コマンドに応じて子供部屋テレビ２ｂの電源がオフされる。その結果、子供部屋テレビ２ｂの消費電力が低減する。また、操作画面Ｄ４を利用したユーザの操作が行われると、表示制御部３２Ａは、表示部１２へのメッセージ文Ｄ３や操作画面Ｄ４の表示を終了するとともに、無線通信モジュール２３を利用して、操作コマンドに応じた設定温度の変更により低減した子供部屋テレビ２ｂの消費電力を子供部屋テレビ２ｂから取得し、表示部１２に表示させている第１情報Ｄ１を、消費電力の低減を認識できる表示形態に変化させる。これにより、表示部１２の表示画面は、図１１（ｃ）に示した画面から図１１（ｄ）に示す画面に遷移する。
【０１０７】
図１１（ｄ）に示す表示画面では、子供部屋テレビ２ｂの消費電力が１００Ｗから０Ｗに低減されたことが分かるように、第１情報Ｄ１が表示されている。ユーザは、この表示画面上の第１情報Ｄ１を見て、操作画面Ｄ４を用いた操作によって子供部屋テレビ２ｂの消費電力が低減されたことを直感的に認識することができる。
【０１０８】
以上、具体的な例を挙げながら詳細に説明したように、本実施形態にかかる電子機器１０Ａは、カメラモジュール１５により撮影（入力）された画像から検知部３１が検知した家電機器と同一種類の他の家電機器を特定する特定部３４をさらに備える。そして、表示制御部３２Ａが、検知部３１が検知した家電機器に関する第１情報および第２情報だけでなく、特定部３４が特定した家電機器の第１情報および第２情報も表示部１２に表示させる。したがって、本実施形態にかかる電子機器１０Ａによれば、ユーザが滞在している部屋に設置された家電機器の消費電力に関わる情報だけでなく、別の部屋に設置された同一種類の家電機器の消費電力に関わる情報についても、直感的で分かり易いかたちでユーザに確認させることができる。
【０１０９】
また、本実施形態にかかる電子機器１０Ａの報知部３３Ａは、表示部１２の表示画面上のタッチ操作などによりユーザが指定した家電機器の消費電力を低減させる操作方法をユーザに対して報知する。したがって、指定された家電機器の消費電力を低減させる操作方法をユーザに知らせ、節電に寄与する家電機器の操作をユーザに促すことができる。
【０１１０】
また、本実施形態にかかる電子機器１０Ａの報知部３３Ａは、表示部１２の表示画面上のタッチ操作などによりユーザが指定した家電機器の消費電力を低減させるメンテナンス方法を報知する。したがって、指定された家電機器の消費電力を低減させるメンテナンス方法をユーザに認識させて、節電に寄与する家電機器のメンテナンスをユーザに促すことができる。
【０１１１】
また、本実施形態にかかる電子機器１０Ａの表示制御部３２Ａは、表示部１２の表示画面上のタッチ操作などによりユーザが指定した家電機器に対する操作を受け付ける操作画面を、表示部１２にさらに表示させる。したがって、ユーザは、表示部１２の表示画面を見ながら、例えば、自分が滞在する部屋とは別の部屋に設置された家電機器に対しても、節電に寄与する家電機器の操作を簡便に行うことができる。
【０１１２】
また、本実施形態にかかる電子機器１０Ａの表示制御部３２Ａは、表示部１２の操作画面が受け付けた操作に応じて、指定された家電機器の消費電力が低減した場合に、消費電力の低減を認識できる表示形態で第１情報を表示部１２に表示させる。したがって、ユーザは、操作画面を用いた操作によって、例えば、別の部屋の家電機器の消費電力が低減されたことを直感的に認識することができる。
【０１１３】
＜第３の実施形態＞
次に、第３の実施形態について説明する。第３の実施形態にかかる電子機器（以下、電子機器１０Ｂと表記する。）は、ユーザ（操作者）の属性に応じて、第１情報および第２情報の表示形態や、家電機器の操作方法、メンテナンス方法などの報知の方法を変化させるようにしている点のみが、第１の実施形態と異なる。以下では、第１の実施形態と共通の構成については同一の符号を付して重複した説明を省略し、第１の実施形態との相違点についてのみ説明する。
【０１１４】
図１２は、本実施形態にかかる電子機器１０ＢのＣＰＵ１６が節電アプリを実行することにより実現される電子機器１０Ｂの機能構成を示すブロック図である。本実施形態にかかる電子機器１０Ｂでは、図１２に示すように、第１の実施形態にかかる電子機器１０の機能構成に加えて属性判定部３５が設けられ、また、第１の実施形態の表示制御部３２に代えて表示制御部３２Ｂ、第１の実施形態の報知部３３に代えて報知部３３Ｂが設けられる。
【０１１５】
属性判定部３５は、本実施形態にかかる電子機器１０Ｂを操作するユーザの属性を判定する。ここで、ユーザの属性とは、例えば、年齢（子供、一般、老人など）や性別、国籍などである。
【０１１６】
属性判定部３５がユーザの属性を判定する方法としては、様々な方法が考えられる。例えば、ユーザのログインＩＤとユーザの属性情報とを関連付けて保持しておき、ユーザが本実施形態にかかる電子機器１０Ｂを利用するにあたりログインＩＤを入力したときに、そのログインＩＤに基づいてユーザの属性を判定する方法が一例として挙げられる。また、例えば、ユーザの指紋などの生体情報とユーザの属性情報とを関連付けて保持しておき、表示部１２の表示画面にユーザがタッチしたときに指紋などの生体情報を取得して、その生体情報に基づいてユーザの属性を判定するようにしてもよい。また、例えば、ユーザの顔の特徴とユーザの属性情報とを関連付けて保持しておき、カメラモジュール１５の前面カメラでユーザの顔を撮影することで得られる顔画像に基づいて、ユーザの属性を判定するようにしてもよい。
【０１１７】
表示制御部３２Ｂは、第１の実施形態の表示制御部３２と同様に、検知部３１が画像から検知した家電機器に関する第１情報および第２情報を表示部１２に表示させる。ただし、本実施形態の表示制御部３２Ｂは、属性判定部３５により判定されたユーザの属性に応じて、第１情報および第２情報を表示部１２に表示させる際の表示形態を変化させる。具体的には、例えば、属性判定部３５により判定されたユーザの属性が老人であった場合、表示制御部３２Ｂは、表示部１２に表示させる第１情報および第２情報の文字の大きさを、ユーザの属性が一般の場合よりも大きくする。また、例えば、属性判定部３５により判定されたユーザの属性が子供であった場合、表示制御部３２Ｂは、表示部１２に表示させる第１情報および第２情報を平仮名表記や図表での表記とする。また、例えば、属性判定部３５により判定されたユーザの属性が女性であった場合、表示制御部３２Ｂは、第１情報および第２情報をキャラクタのアイコンなどを付して表示部１２に表示させる。また、表示制御部３２Ｂは、属性判定部３５により判定されたユーザの国籍に応じて、表示部１２に表示させる第１情報および第２情報の文字を、ユーザの使用言語に合わせる。なお、以上はユーザの属性に応じて変化させる表示形態の一例であり、これらに限定されるものではない。
【０１１８】
報知部３３Ｂは、第１の実施形態の報知部３３と同様に、検知部３１が画像から検知した家電機器の消費電力を低減させる操作方法や、検知部３１が画像から検知した家電機器の消費電力を低減させるメンテナンス方法をユーザに対して報知する。ただし、本実施形態の報知部３３Ｂは、属性判定部３５により判定されたユーザの属性に応じて、家電機器の操作方法やメンテナンス方法の報知の方法を変化させる。具体的には、例えば、属性判定部３５により判定されたユーザの属性が老人であった場合、報知部３３Ｂは、スピーカ１４から出力させる音声ガイダンスの音量を、ユーザの属性が一般の場合よりも大きくする。また、例えば、属性判定部３５により判定されたユーザの属性が老人や子供であった場合、報知部３３Ｂは、家電機器のメンテナンス方法を、ユーザの属性が一般の場合よりも詳細に報知する。また、報知部３３Ｂは、属性判定部３５により判定されたユーザの国籍に応じて、スピーカ１４から出力させる音声ガイダンスを、ユーザの使用言語に合わせる。なお、以上はユーザの属性に応じて変化させる報知の方法の一例であり、これらに限定されるものではない。
【０１１９】
以上のように、本実施形態にかかる電子機器１０Ｂは、当該電子機器１０Ｂを操作するユーザの属性を判定する属性判定部３５をさらに備える。そして、表示制御部３２Ｂが、属性判定部３５により判定されたユーザの属性に応じて、第１情報および第２情報を表示部１２に表示させる際の表示形態を変化させるとともに、報知部３３Ｂが、属性判定部３５により判定されたユーザの属性に応じて、家電機器の操作方法やメンテナンス方法の報知の方法を変化させる。したがって、本実施形態にかかる電子機器１０Ｂによれば、家電機器の消費電力に関わる情報を、より分かり易いかたちでユーザに確認させることができるとともに、節電に寄与する家電機器の操作方法やメンテナンス方法を、より分かり易くユーザに伝えることができる。
【０１２０】
以上説明した少なくとも一つの実施形態によれば、カメラモジュール１５により撮影（入力）された画像から家電機器を検知する検知部３１と、検知部３１が画像から検知した家電機器の消費電力を示す第１情報および当該家電機器の消費電力に影響を与える操作の要否を判断するための第２情報とを表示部１２に表示させる表示制御部３２と、を備えることにより、電子機器１０を所望の家電機器にかざすといった簡便な操作により、所望の家電機器の消費電力に関わる情報を直感的で分かり易くユーザに確認させることができる。
【０１２１】
なお、上述した各実施形態にかかる電子機器１０，１０Ａ，１０Ｂの特徴的な機能は、一例として、ＣＰＵ１６が実行するアプリケーションプログラム（節電アプリ）により実現される。このアプリケーションプログラム（節電アプリ）は、例えば、電子機器１０，１０Ａ，１０Ｂ内部の不揮発性メモリ２０などに予め組み込まれて提供される。また、このアプリケーションプログラム（節電アプリ）を、インストール可能な形式または実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｃ）などのコンピュータで読み取り可能な記録媒体に記録して提供するように構成してもよい。さらに、このアプリケーションプログラム（節電アプリ）を、インターネット等のネットワークに接続されたコンピュータ上に格納し、ネットワーク経由でダウンロードさせることにより提供するように構成してもよい。また、このアプリケーションプログラム（節電アプリ）を、インターネット等のネットワーク経由で提供または配布するように構成してもよい。
【０１２２】
上述した各実施形態にかかる電子機器１０，１０Ａ，１０ＢのＣＰＵ１６が実行するアプリケーションプログラム（節電アプリ）は、上述した検知部３１、表示制御部３２（３２Ａ，３２Ｂ）、報知部３３（３３Ａ，３３Ｂ）、特定部３４、属性判定部３５を含むモジュール構成となっており、実際のハードウェアとしては、ＣＰＵ１６が不揮発性メモリ２０からアプリケーションプログラム（節電アプリ）を読み出して実行することにより、上記各部がメインメモリ（例えば、ＲＡＭ２１）上にロードされ、上記各部がメインメモリ上に生成されるようになっている。
【０１２３】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１２４】
１  エアコン
１ａ  リビングルームエアコン
１ｂ  子供部屋エアコン
１ｃ  寝室エアコン
２  テレビ
２ａ  リビングルームテレビ
２ｂ  子供部屋テレビ
２ｃ  寝室テレビ
３  照明装置
４  冷蔵庫
５  洗濯乾燥機
６  ネットワーク
７  情報提供サーバ
１０，１０Ａ，１０Ｂ  電子機器
１２  表示部
１５  カメラモジュール
３１  検知部
３２，３２Ａ，３２Ｂ  表示制御部
３３，３３Ａ，３３Ｂ  報知部
３４  特定部
３５  属性判定部
【図１】
0005677497.tif 000002
【図２】
0005677497.tif 000003
【図３】
0005677497.tif 000004
【図４】
0005677497.tif 000005
【図５】
0005677497.tif 000006
【図６】
0005677497.tif 000007
【図７】
0005677497.tif 000008
【図８】
0005677497.tif 000009
【図９】
0005677497.tif 000010
【図１０】
0005677497.tif 000011
【図１１】
0005677497.tif 000012
【図１２】
0005677497.tif 000013